(57)【特許請求の範囲】
【請求項１】
外部基板の表面上に固定可能な略矩形状のケースと、このケースの底板部上に配設された内部基板と、Ｘ−Ｙ方向の信号入力のために前記ケースに装着され、前記内部基板の表面に沿って周囲全方向にスライド操作されるスライド式の操作体と、操作体のスライド操作に伴って前記内部基板の表面上をＸ方向、Ｙ方向へ直線的に移動する一対の移動体と、内部基板と外部基板とを電気的に接続するための接続接片とを備えており、
ケースの１辺部には、その側壁部を側方へ延長した延長部が設けられており、この延長部には、当該延長部を厚み方向に貫通するスリットであって、内部基板の端子部が挿入される第１の開口部と、当該延長部の外面の第１の開口部の上方に位置するスリットであって、当該第１の開口部と連通する第２の開口部とが設けられており、
前記接続接片は、一端部が前記第２の開口部に挿入され、前記内部基板の端子部に弾性的に接触する一方、他端部がケース外に外部基板の表面に接触可能に突出することを特徴とするポインティング装置。
【請求項２】
請求項１記載のポインティング装置において、前記接続接片は、短冊状の金属板をほぼ中央部で折り曲げたＶ字形又はＵ字形に形成されており、その折り曲げ部を挟む一端部が第１の圧接端子部としてケースの延長部の第２の開口部に挿入され、他端部が第２の圧接端子部として前記ケースの底面側へ突出することを特徴とするポインティング装置。
【請求項３】
請求項１又は２記載のポインティング装置において、前記接続接片の一端部には、下方に凸の突起又は下方に傾斜した舌状の切り起こし片が設けられており、当該接続接片の一端部が前記第２の開口部に挿入されると、前記突起又は切り起こし片が前記内部基板の端子部に圧接することを特徴とするポインティング装置。
【請求項４】
請求項２記載のポインティング装置において、前記延長部の下面には、前記外部基板に当接して弾性変形した前記接続接片の他端部を収容する凹部が設けられていることを特徴とするポインティング装置。
【請求項５】
請求項１記載のポインティング装置において、一対の移動体を原点位置に復帰させるためのコイルスプリングを有し、
ケースの前記１辺部を除く直交する２辺部には、側方に張り出した張出部が設けられており、
一対の移動体は、Ｙ方向、Ｘ方向に延びる平板部と、この平板部の両端に設けられ、ケースにＸ方向、Ｙ方向にスライド移動自在に保持された一対の樹脂部とを有しており、一方の樹脂部の上面には、前記コイルスプリングの下端部をＸ方向、Ｙ方向に沿って収容する凹状の第１収容部が設けられており、
張出部の下面には、前記コイルスプリングの上端部を収容する凹部と、この凹部の長さ方向の両端に位置し且つ前記コイルスプリングの両端に当接可能にされた一対の制止部とが設けられていることを特徴とするポインティング装置。
【発明の詳細な説明】
【０００１】
【発明の属する技術分野】
本発明は、リモコン、ゲーム機、携帯電話等の各種電子機器において、Ｘ−Ｙ方向の信号入力のために使用されるポインティング装置に関し、更に詳しくは、外部の取付け基板の板面に沿って操作体をスライド操作するスライド操作式のポインティング装置に関する。
【０００２】
【従来の技術】
Ｘ−Ｙ方向の信号入力装置としてスライド操作式のポインティング装置がある。このポインティング装置は、一般に、外部の取付け基板に固定されるケースと、Ｘ−Ｙ方向の信号入力のためにケースに装着され、前記取付け基板の表面に沿って周囲全方向にスライド操作されるスライド式の操作体と、操作体のスライド操作に伴ってケース内をＸ方向及びＹ方向へ直線的に移動する一対の移動体と、一対の移動体の下方に位置して前記ケース内に設けられる内部基板とを備えている。
【０００３】
内部基板は、通常フレキシブル基板からなり、一対の移動体に取付けられた接触子が摺接する一対の抵抗回路を有している。一対の抵抗回路は、一対の接触子と共に一対のボリュームを構成しており、一対の移動体のＸ−Ｙ方向の移動位置に対応する電気信号を出力する。
【０００４】
このようなポインティング装置では、ボリュームの電源電圧を外部回路から供給する必要がある。また、Ｘ−Ｙ方向の電気信号を外部回路へ与える必要がある。これらのために、内部基板が外部の取付け基板と電気的に接続される。そして、この接続形態の一つとして、内部基板の端子部をケースの外へ引き出して、これを、外部の取付け基板に実装されたコネクタに差し込むことが行われている。
【０００５】
【発明が解決しようとする課題】
このような内部基板と外部基板の接続形態によると、内部基板がコネクタを介して外部基板と確実に接続される。しかし、ポインティング装置を使用する機器の組立においては、ポインティング装置を外部基板へ実装する作業の他に、外部基板上にコネクタを実装するためのハンダ付け作業と、そのコネクタに内部基板の端子部を差し込む作業とが必要になり、これら２つの余分の作業が機器の組立作業性を低下させる原因になる。
【０００６】
また、コネクタを使用することによる実装面積の増大や部品コストの増大も問題になる。
【０００７】
本発明はかかる事情に鑑みて創案されたものであり、内部基板を外部基板に簡単な作業で確実に接続することができ、しかも、実装面積の低減及び部品コストの低減を図ることができるポインティング装置を提供することを目的としている。
【０００８】
【課題を解決するための手段】
上記目的を達成するために、本発明に係るポインティング装置は、外部基板の表面上に固定可能な略矩形状のケースと、このケースの底板部上に配設された内部基板と、Ｘ−Ｙ方向の信号入力のために前記ケースに装着され、前記内部基板の表面に沿って周囲全方向にスライド操作されるスライド式の操作体と、操作体のスライド操作に伴って前記内部基板の表面上をＸ方向、Ｙ方向へ直線的に移動する一対の移動体と、内部基板と外部基板とを電気的に接続するための接続接片とを備えており、ケースの１辺部には、その側壁部を側方へ延長した延長部が設けられており、この延長部には、当該延長部を厚み方向に貫通するスリットであって、内部基板の端子部が挿入される第１の開口部と、当該延長部の外面の第１の開口部の上方に位置するスリットであって、当該第１の開口部と連通する第２の開口部とが設けられており、前記接続接片は、一端部が前記第２の開口部に挿入され、前記内部基板の端子部に弾性的に接触する一方、他端部がケース外に外部基板の表面に接触可能に突出するようになっている。
【０００９】
本発明に係るポインティング装置においては、ケースを外部基板上に固定すると、ケースに保持された接続接片の圧接端子部（他端部）が外部基板に弾性的に接触する。一方、接続接片の一端部は、ケース内の内部基板に対する圧接端子部として、該内部基板に弾性的に接触している。従って、ケースを外部基板上に固定するだけで、内部基板が外部基板と接続される。また、コネクタが不要になる。
【００１０】
また、内部基板と接続接片の接続構造を、ケースの延長部に設けられた第１の開口部に、ケース内から内部基板の端子部が挿入され、前記延長部に設けられた第２の開口部にケース外から接続接片の一端部が挿入されることにより、両者が弾性的に接触するようにしたのでので、組立作業性の向上及び小型化を図ることができる。
【００１１】
接続接片としては、短冊状の金属板をほぼ中央部で折り曲げて形成したＶ字形又はＵ字形で、その折り曲げ部を挟む一端部が第１の圧接端子部としてケース側縁部の開口部に挿入され、他端部が第２の圧接端子部として前記ケースの底面側へ突出する構成のものが、小型化等の点から好ましい。
【００１２】
【発明の実施の形態】
以下に本発明の実施形態を図面に基づいて説明する。図１は本発明の実施形態に係るポインティング装置の平面図、図２は同ポインティング装置の透視平面図、図３は同ポインティング装置の縦断正面図で、図１中のＡ−Ａ線矢示図、図４は同ポインティング装置の一部破断側面図、図５は同ポインティング装置に使用される接続接片の斜視図である。
【００１３】
本発明の実施形態に係るポインティング装置は、図１〜図３に示すように、外部の取付け基板上に固定されるケース１０と、Ｘ−Ｙ方向の信号入力のためにケース１０に装着されたスライド式の操作体２０と、操作体２０のスライド操作に伴ってケース１０内をＸ−Ｙ方向へ直線的に移動する上下一組の移動体３０Ａ，３０Ｂと、Ｘ−Ｙ方向のボリューム部及びＸ−Ｙ方向に直角なＺ方向の押し下げスイッチを構成するためにケース１０内に収容された内部基板４０と、内部基板４０と共にＸ−Ｙ方向のボリューム部を構成するために、移動体３０Ａ，３０Ｂの各側端部に取付けられた一組の接触子５０Ａ，５０Ｂと、移動体３０Ａ，３０Ｂを原点位置に自動復帰させるためにＸ−Ｙ方向のボリューム部に組み込まれた一組のスプリング６０Ａ，６０Ｂと、内部基板４０を外部の取付け基板と接続するためにケース１０に保持された複数の接続接片７０，７０・・とを備えている。
【００１４】
ここで、Ｘ−Ｙ方向のボリューム部はケース１０の直交する２辺部に形成されている。また、上段の移動体４０Ａ及び接触子５０ＡはＹ方向の信号入力を行い、下段の移動体４０Ｂ及び接触子５０ＢはＸ方向の信号入力を行う。
【００１５】
ケース１０は、天板部を形成する上ケース１０ａに、底板部を形成する下ケース１０ｂを組み合わせた２ピース構造である。上ケース１０ａは、下面が開放した略四角形の偏平な樹脂キャップである。上ケース１０ａの天板部１１には、操作体２０の一部を上方に突出させるために、円形の開口部１２が設けられている。
【００１６】
天板部１１の直交する２辺部には、ボリュームを構成するために、開口部１２に対して側方へ張り出した張出部１３Ａ，１３Ｂが設けられている。また、上ケース１０ａの他の１辺部は、接続接片７０，７０・・を取り付けるために、側壁部を側方へ延長して形成された延長部１３Ｃになっている。
【００１７】
張出部１３Ａ，１３Ｂの各下面には、スプリング６０Ａ，６０Ｂが嵌合する浅い凹部が、各辺に沿って設けられている。また、移動体３０Ａ，３０Ｂの移動時にスプリング６０Ａ，６０Ｂを圧縮するために、リブ状の突起からなる一対の制止部１５Ａ，１５Ａ及び１５Ｂ，１５Ｂが、前記凹部の両端側に位置して設けられている。
【００１８】
一方、延長部１３Ｃには、図２及び図４に示すように、内部基板４０の端子部４１，４１が挿入される２つの第１開口部１６ａ，１６ａと、各開口部１６ａの上方に連続して設けられた複数の第２開口部１６ｂ，１６ｂ・とが設けられている。第１開口部１６ａ，１６ａは、上ケース１０ａの側壁部を貫通して形成されたケース１０の上下面に平行なスリットで、横に並んで設けられている。第２開口部１６ｂ，１６ｂ・は、第１開口部１６ａの天井面に横に並んで形成された凹部であり、ケース１０の外側に開放している。
【００１９】
後で詳しく説明するが、第２開口部１６ｂ，１６ｂ・・には外側から接続接片７０，７０・が挿入される。そして、内側から第１開口部１６ａに挿入された内部基板４０の端子部４１の上面に、それらの接続接片７０，７０・が弾性的に接触することにより、両者が電気的に接続される。この接続のために、内部基板４０の端子部４１，４１の各上面には、接続接片７０，７０・に対応するように、複数の接点部が形成されている。
【００２０】
また、内部基板４０の端子部４１，４１を第１開口部１６ａ，１６ａに挿入する操作を容易にするために、延長部１３Ｃには、上下面間を貫通する横長の開口部１９が、上ケース１０ａの本体部に接して設けられている。延長部１３Ｃの下面には、ケース１０を取付け基板上に固定したときに接続接片７０，７０・の各一部が嵌合する凹部１４が設けられている。
【００２１】
下ケース１０ｂは、金属板の成形加工品で、上ケース１０ａの延長部１３Ｃを除く本体部に下方から嵌合するカバーである。このカバーにより、本体部の下面は底板部１７で覆われるが、延長部１３Ｃの下面は下方に露出することになる。底板部１７の３辺部には、各縁部を上方へ立ち上げることによって形成された固定部１８が設けられている。固定部１８は、上ケース１０ａの側壁部の外面に設けられた爪部と係合することにより、下ケース１０ｂを上ケース１０ａに固定する。
【００２２】
操作体２０は、円板状の操作部２１と、操作部２１の中心部から下方へ突出する軸部２２と、軸部２２に取付けられた抜け止め部材２３と、抜け止め部材２３を固定する固定部材２４とを有している。操作部２１は、上ケース１０ａの天板部１１より上方に突出している。抜け止め部材２３は金属板からなり、操作体２０のＺ方向の移動を許容しつつ、その上方への抜けを阻止する。固定部材２４は、軸部２２の下部に嵌合するリングであり、軸部２２の上部との間に抜け止め部材２２を固定する。また、軸部２２の下部と共に、移動体３０Ａ，３０Ｂを動作させる動作部を兼ねている。
【００２３】
上下一組の移動体３０Ａ，３０Ｂのうち、上段の移動体３０ＡはＹ方向の信号入力を行い、Ｙ方向にのみ移動可能である。下段の移動体３０ＢはＸ方向の信号入力を行い、Ｘ方向にのみ移動可能である。両者は直角に組み合わされているが、個々の実質的な構成は同じである。この構成を、図３に詳示された上段の移動体３０Ａにつき、図２を参照して説明する。
【００２４】
上段の移動体３０Ａは、金属板からなる金属部３１Ａと、金属部３１Ａの両端部に取付けられた一対の樹脂部３２Ａ，３３Ａとからなる。金属部３１Ａは移動方向（Ｙ方向）に直角なＸ方向に延びるほぼ平板である。金属部３１Ａには、操作体２０の軸部２２が貫通する四角形の長孔３４Ａが設けられている。長孔３４Ａは、操作体２０のＸ方向の相対移動を許容するために、Ｘ方向に長く延びている。金属部３１ＡのＸ方向の両端部は、樹脂部３２Ａ，３３Ａにモールドされることで樹脂部３２Ａ，３３Ａと結合されている。
【００２５】
一対の樹脂部３２Ａ，３３Ａは、ケース１０内に金属部３１Ａを保持するスライダであり、ケース１０の上ケース１０ａと下ケース１０ｂの間、より正確には下ケース１０ｂの底板部１７上に配置された内部基板４０の上を、平行な２辺部に沿ってＹ方向に摺動する。一方の樹脂部３２Ａは純粋なスライダであるのに対し、他方の樹脂部３３Ａはボリューム部及び原点復帰機構の構成部材を兼ねている。
【００２６】
即ち、他方の樹脂部３３Ａは、上ケース１０ａの張出部１３Ａとこれに対応する下ケース１０ｂの張出部との間、より正確には下ケース１０ｂの底板部１７上に配置された内部基板４０の縁部上に配置されている。この樹脂部３３Ａの上面には、スプリング６０Ａを圧縮状態で収容する凹状の第１収容部３５Ａが設けられている。第１収容部３５Ａの両端側には、張出部１３Ａの下面に設けられた制止部１５Ａ，１５Ａが移動可能に挿入される一対のスリットが、第１収容部３５Ａに連続して設けられている。
【００２７】
一方、この樹脂部３３Ａの下面には、接触子５０Ａを収容する第２収容部３７Ａが設けられている。第２収容部３７Ａは、樹脂部３３Ａの厚み増大を回避するために、第１収容部３５Ａと重ならないようその内側に設けられている。接触子５０Ａは、第２収容部３７Ａの天井面に下向きに固定されている。
【００２８】
なお、下段の移動体３０Ｂは、上述した上段の移動体４０Ａに対して直角に配置される点、及び金属部３１Ｂが上段の移動体４０Ａの金属部３１Ａと干渉しないように形成されている点を除き、上段の移動体４０Ａと実質同一構成であるので、対応する部分に同一数字の符号（但し添字はＢ）を付けて説明を省略する。
【００２９】
内部基板４０はフレキシブル基板であり、下ケース１０ｂの底板部１７上から上ケース１０ａの延長部１３Ｃ内にかけて配置される。内部基板４０の直交する２辺部の上面には、ボリューム部を構成するために一組の抵抗回路が形成されており、一組の接触子５０Ａ，５０Ｂは、この一組の抵抗回路に上方から弾性的に接触する。内部基板４０のほぼ中央部上面には、押し下げスイッチを構成するために、スイッチ回路が形成されると共に、スナッププレートと呼ばれるドーム状の弾性接片４２がテープにより固定されている。弾性接片４２は、操作体２０を上方へ付勢する一方、下方へ変形することにより下方のスイッチ回路を短絡させる。
【００３０】
内部基板４０の一部は、端子部４１，４１として、延長部１３Ｃの第１開口部１６ａ，１６ａに挿入される。端子部４１，４１の各上面には、前記抵抗回路及びスイッチ回路に繋がる複数の接点部が設けられている。複数の接点部には、第２開口部１６ｂ，１６ｂ・に挿入された接続接片７０，７０・が接触する。
【００３１】
一組のスプリング６０Ａ，６０Ｂのうち、一方のスプリング６０Ａは、上ケース１０ａの張出部１３Ａと移動体３０Ａの樹脂部３３Ａの間に配置されており、より具体的には、樹脂部３３Ａの上面に設けられた第１収容部３５Ａ内に若干圧縮された状態で収容されている。そして、このスプリング６０Ａには、張出部１３Ａの下面に設けられた制止部１５Ａ，１５Ａが両端側から当接している。
【００３２】
同様に、他方のスプリング６０Ｂは、上ケース１０ａの張出部１３Ｂと移動体３０Ｂの樹脂部３３Ｂの間に配置されており、より具体的には、樹脂部３３Ｂの上面に設けられた第１収容部３５Ｂ内に若干圧縮された状態で収容されている。そして、このスプリング６０Ｂには、張出部１３Ｂの下面に設けられた制止部１５Ｂ，１５Ｂが両端側から当接している。
【００３３】
各接続接片７０は、図５に示すように、短冊状の金属板をほぼ中央部で折り曲げて形成されたＶ字形状の弾性片である。各接続接片７０の折り曲げ部を挟む一方の平板部は、内部基板４０の端子部４１の上面に圧接する第１の圧接端子部７１であり、上ケース１０ａの延長部１３Ｃに設けられた第２開口部１６ｂに外側から挿入される。この挿入により、圧接端子部７１に形成されたフクリンと呼ばれる下方へ凸のドーム状の突起７３が、端子部４１の上面に形成された接点部に圧接することにより、接続接片７０が内部基板４０に確実に接続され、且つケース１０に確実に保持される。
【００３４】
各接続接片７０の折り曲げ部を挟む一方の平板部は、外部の取付け基板に弾性的に接触する第２の圧接端子部７２である。この圧接端子部７２は、第１の圧接端子部７１を第２開口部１６ｂに挿入した状態で、延長部１３Ｃの側方を経由して下方に回り込み、先端部がケース１０の下面より下方へ突出した状態となる。従って、ケース１０を取付け基板の表面に固定することにより、第２の圧接端子部７２が取付け基板の表面に圧接する。
【００３５】
次に、本発明の実施形態に係るポインティング装置の機能について説明する。
【００３６】
前述したとおり、内部基板４０の端子部４１，４１は、ケース１０の延長部１３Ｃに設けられた第１開口部１６ａ，１６ａに内側から挿入される。また、各第１開口部１６ａの上方に連続して形成された第２開口部１６ｂ，１６ｂ・には、外側から接続接片７０，７０・の第１の圧接端子部７１，７１・が挿入される。これにより、第１の圧接端子部７１，７１・が下方の内部基板４０の端子部４１，４１の各上面に圧接し、接続接片７０，７０・が内部基板４０に電気的に接続される。
【００３７】
この状態で、ケース１０を取付け基板の表面に固定することにより、接続接片７０，７０・の第２の圧接端子部７２，７２・が取付け基板の表面に圧接し、ケース４０内の内部基板４０が接続接片７０，７０・を介して外部の取付け基板と電気的に接続される。
【００３８】
即ち、本発明の実施形態に係るポインティング装置の場合は、内部基板４０の端子部４１，４１を取付け基板上のコネクタに差し込む作業も、又そのコネクタを取付け基板上に実装するハンダ付け作業も行わずに、ケース１０を取付け基板の表面に固定するだけという簡単な作業だけで、内部基板４０を外部の取付け基板と電気的に接続できる。従って、当該ポインティング装置を使用する機器の組立作業が簡略化される。
【００３９】
また、コネクタは接続接片７０，７０・より高価であるので、コネクタが省略されることにより、部品コストが低減し、更には実装面積も低減する。
【００４０】
取付け基板上に実装されたポインティング装置において、操作体２０にＸ−Ｙ方向の外力を加えないときは、スプリング６０Ａ，６０Ｂにより移動体３０Ａ，３０Ｂが原点位置に弾性的に保持される。その結果、操作体２０も原点位置に弾性的に保持される。また、弾性接片４２による付勢により、操作体２０が上限位置（抜け止め部材２３が上ケース１０ａの天板部１１に下方から当接する位置）に弾性的に保持される。
【００４１】
操作体２０をＸ方向に操作すると、下段の移動体３０ＢがＸ方向に移動する。これに伴って、接触子５０Ｂが内部基板４０上の対応する抵抗回路上を摺動する。その結果、Ｘ方向の移動量に対応した電気信号が出力され、当該装置を使用する電子機器に入力される。また、移動体３０Ｂの移動に伴って、その第１収容部３５Ｂ内に収容されたスプリング６０Ｂが軸方向に移動しようとするが、上ケース１０ａの張出部１３Ｂの下面に設けられた制止部１５Ｂ，１５Ｂの一方でその移動が阻止されるため、スプリング６０Ｂが軸方向に押圧されて圧縮される。このため、操作体２０に付加されている外力を取り除くと、移動体３０Ｂが原点位置に自動復帰し、これによって操作体２０も原点位置に自動復帰する。
【００４２】
操作体２０をＹ方向に操作すると、上段の移動体３０ＡがＹ方向に移動する。これに伴って、接触子５０Ａが内部基板４０上の対応する抵抗回路上を摺動する。その結果、移動量に対応した電気信号が出力され、当該装置を使用する電子機器に入力される。また、移動体３０Ａの移動に伴ってスプリング６０Ａが軸方向に移動するが、上ケース１０ａの張出部１３Ａの下面に設けられた制止部１５Ａ，１５Ａの一方でその移動が阻止されるため、スプリング６０Ａが軸方向に押圧されて圧縮される。このため、操作体２０に付加されている外力を取り除くと、移動体３０Ａが原点位置に自動復帰し、これによって操作体２０も原点位置に自動復帰する。
【００４３】
これらの操作の組み合わにより、操作体２０のＸ−Ｙ方向の移動方向及び移動量に応じた電気信号が、当該ポインティング装置を使用する機器に入力される。
【００４４】
また、弾性接片４２による付勢力に抗して操作体２０を下方に押すと、弾性接片４２が変形し、下方の内部基板４０の上面に形成されたスイッチ回路を短絡させる。これにより、押し下げスイッチとしての機能が得られる。
【００４５】
信号出力手段としてのボリューム部は、ケース１０の直交する２辺部内に内蔵されている。このため、外付けのボリュームを使用する場合に比べて部品点数が低減する。特に、移動体３０Ａ，３０Ｂの一方の樹脂部２３Ａ，２３Ｂが、スライダと共に、ボリューム部の構成部材及び原点復帰機構の構成部材を兼ねるので、部品点数がとりわけ少ない。また、内部基板４０がボリューム部と押し下げスイッチの両方に使用されているので、この点からも部品点数が低減される。
【００４６】
そして、ケース１０内にボリューム部が内部基板４０と共に収容され、且つ、押し下げスイッチが組み込まれているにもかかわらず、移動体３０Ａ，３０Ｂが板状の金属部３２Ａ，３２Ｂを使用し、下ケース１０ｂが金属板により構成されているため、装置高が低く抑制される。
【００４７】
即ち、本発明の実施形態に係るポインティング装置は、多機能であるにもかかわらず、薄型である。
【００４８】
また、スプリング６０Ａは、上ケース１０ａの張出部１３Ａと移動体３０Ａの樹脂部３３Ａの間に平行に収容され、スプリング６０Ｂは、上ケース１０ａの張出部１３Ｂと移動体３０Ｂの樹脂部３３Ｂの間に平行に収容されるので、スプリング６０Ａ，６０Ｂを設けたことによる装置外寸の増大が可及的に回避される。
【００４９】
図６は接続接片の他の例を示す斜視図である。ここに示された接続接片７０では、第１の圧接端子部７１に、フクリンと呼ばれる下方へ凸のドーム状の突起７３に代えて、舌状の切り起こし片７４が形成されている。切り起こし片７４は、下方に傾斜しており、これにより下方の端子部４１に弾性的に接触する。
【００５０】
なお、上記実施形態では、スプリング６０Ａ，６０Ｂを収容する収容部を移動体３０Ａ，３０Ｂの樹脂部３３Ａ，３３Ｂの上面に設け、移動体３０Ａ，３０Ｂの移動時にスプリング６０Ａ，６０Ｂを圧縮する制止部を上ケース１０ａの張出部１３Ａ，１３Ｂの下面に設けたが、スプリング６０Ａ，６０Ｂを収容する収容部を上ケース１０ａの張出部１３Ａ，１３Ｂの下面に設け、移動体３０Ａ，３０Ｂの移動時にスプリング６０Ａ，６０Ｂを圧縮する制止部を移動体３０Ａ，３０Ｂの樹脂部３３Ａ，３３Ｂの下面に設けることも可能である。
【００５１】
また、移動体３０Ａ，３０Ｂの一方の樹脂部３２Ａ，３２Ｂの側に原点復帰機構を構成し、他方の樹脂部３３Ａ，３３Ｂの側にボリューム部を構成することも可能である。
【００５２】
【発明の効果】
以上に説明したとおり、本発明に係るポインティング装置は、ケースを外部基板上に固定するだけで、ケース内の内部基板を、該ケースに保持された接続接片を介して外部基板と接続できる。これにより、内部基板の端子部を外部基板上のコネクタに差し込む作業も、又そのコネクタを外部基板上に実装するハンダ付け作業も不要になり、内部基板を外部基板に接続する作業が著しく簡略化される。従って、当該ポインティング装置を使用する機器の組立作業が簡単になる。また、コネクタが不要になることにより、実装面積の低減及び部品コストの低減が図られる。
【図面の簡単な説明】
【図１】本発明の実施形態に係るポインティング装置の平面図である。
【図２】同ポインティング装置の透視平面図である。
【図３】同ポインティング装置の縦断正面図で、図１中のＡ−Ａ線矢示図である。
【図４】同ポインティング装置の一部破断側面図である。
【図５】同ポインティング装置に使用された接続接片の斜視図である。
【図６】別の接続接片の斜視図である。
【符号の説明】
１０  ケース
１０ａ  上ケース
１０ｂ  下ケース
１１  天板部
１３Ａ，１３Ｂ  張出部
１３Ｃ  延長部
１５Ａ，１５Ｂ  制止部
１６ａ  第１開口部
１６ｂ  第２開口部
１７  底板部
１８  固定部
２０  操作体
３０Ａ，３０Ｂ  移動体
３１Ａ，３１Ｂ  金属部
３２Ａ，３２Ｂ，３３Ａ，３３Ｂ  樹脂部（スライダ）
３４Ａ，３４Ｂ  開口部
４０  内部基板
４１  端子部
４２  弾性接片
５０Ａ，５０Ｂ  接触子
６０Ａ，６０Ｂ  スプリング
７０  接続接片
７１  第１の圧接端子部
７２  第２の圧接端子部
【図１】
0003910361.tif 000002
【図２】
0003910361.tif 000003
【図３】
0003910361.tif 000004
【図４】
0003910361.tif 000005
【図５】
0003910361.tif 000006
【図６】
0003910361.tif 000007